【手続補正書】
【提出日】平成16年9月9日(2004.9.9)
【手続補正１】
【補正対象書類名】明細書
【補正対象項目名】発明の名称
【補正方法】変更
【補正の内容】
【発明の名称】電子カメラ
【手続補正２】
【補正対象書類名】明細書
【補正対象項目名】特許請求の範囲
【補正方法】変更
【補正の内容】
【特許請求の範囲】
【請求項１】
撮像素子を有する電子カメラであって、
前記撮像素子からの被写体像の画像情報を取り込んで記憶する記憶手段と、
当該電子カメラの操作が所定の設定時間内になされない場合または当該電子カメラの動作停止の後所定の設定時間経過後に自動的に当該電子カメラをパワーオフ状態に切り換えるオートパワーオフ機能を制御するパワー状態制御手段と、
を有し、
プリンタが接続された際に当該プリンタに対して画像情報を伝送し、当該画像情報に基づいて当該プリンタに印刷を行わしめることを可能とする電子カメラにおいて、
当該電子カメラに前記プリンタが接続され、かつ、該プリンタが印刷動作を行っている際には、前記オートパワーオフ機能の解除または当該オートパワーオフ状態への切り換えがなされる前記設定時間の再設定の何れかを実行すると共に当該電子カメラに配設された操作ボタンの使用を不許可とするように制御し、当該電子カメラに接続されたプリンタの印刷動作が終了した後は、前記オートパワーオフ機能の復帰または当該オートパワーオフ状態への切り換えがなされる前記設定時間の初期状態への再設定の何れかを実行すると共に当該電子カメラに配設された操作ボタンの使用を許可するように制御する制御手段を具備することを特徴とする電子カメラ。
【手続補正３】
【補正対象書類名】明細書
【補正対象項目名】０００１
【補正方法】変更
【補正の内容】
【０００１】
【発明の属する技術分野】
本発明は、撮像素子を内蔵する電子カメラを介して画像情報を取り込み、該画像情報による画像をプリントするプリントシステムに接続可能な電子カメラに関する。
【手続補正４】
【補正対象書類名】明細書
【補正対象項目名】０００５
【補正方法】変更
【補正の内容】
【０００５】
一方、一般的なデジタルカメラにおいては、一定時間操作がなされなかったり、カメラの動作が停止してから一定時間が経過するとオートパワーオフ機能が働いて電源オフ状態になる。従って、上述のダイレクトプリント動作中にデータ送信中の待機時間に上記オートパワーオフ機能が働いてしまう可能性があった。また、印刷に時間がかかる場合には、ダイレクトプリント動作中にデジタルカメラ側で不用意に操作ボタンが操作される可能性もあり、その場合プリント動作全体のスムーズな進行に悪影響を及ぼす虞もあった。
【手続補正５】
【補正対象書類名】明細書
【補正対象項目名】０００６
【補正方法】変更
【補正の内容】
【０００６】
本発明は、上述の不具合を解決するためになされたもので、プリント動作中に電子カメラ側がパワーオフとならず、正常なプリントを実行可能で、かつ、プリント動作全体においてもスムーズな進行が保障される電子カメラを提供することを目的とする。
【手続補正６】
【補正対象書類名】明細書
【補正対象項目名】０００７
【補正方法】変更
【補正の内容】
【０００７】
【課題を解決するための手段】
本発明の電子カメラは、撮像素子を有する電子カメラであって、前記撮像素子からの被写体像の画像情報を取り込んで記憶する記憶手段と、当該電子カメラの操作が所定の設定時間内になされない場合または当該電子カメラの動作停止の後所定の設定時間経過後に自動的に当該電子カメラをパワーオフ状態に切り換えるオートパワーオフ機能を制御するパワー状態制御手段と、を有し、プリンタが接続された際に当該プリンタに対して画像情報を伝送し、当該画像情報に基づいて当該プリンタに印刷を行わしめることを可能とする電子カメラにおいて、当該電子カメラに前記プリンタが接続され、かつ、該プリンタが印刷動作を行っている際には、前記オートパワーオフ機能の解除または当該オートパワーオフ状態への切り換えがなされる前記設定時間の再設定の何れかを実行すると共に当該電子カメラに配設された操作ボタンの使用を不許可とするように制御し、当該電子カメラに接続されたプリンタの印刷動作が終了した後は、前記オートパワーオフ機能の復帰または当該オートパワーオフ状態への切り換えがなされる前記設定時間の初期状態への再設定の何れかを実行すると共に当該電子カメラに配設された操作ボタンの使用を許可するように制御する制御手段を具備することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００５３
【補正方法】変更
【補正の内容】
【００５３】
次に、本発明を説明する上で参考となる例について説明する。
上記第２の実施の形態のプリントシステムでは、ダイレクトプリントの動作でエラーが発生し、エラ−リカバリに予想外の時間がかかった場合には、そのエラ−リカバリ処理中にデジタルカメラ１０１の電源がオフとなる可能性があった。それに対して本参考例となるプリントシステムでは、エラーリカバリ等で予想以上にプリント時間がかかった場合でも、通信エラ−が発生していない限り、デジタルカメラ１０１のオートパワーオフ機能の時間延長を行うので何らかの理由で予想以上に時間がかかってもオートパワーオフ機能が働いてしまうことがない。また、通信エラ−が発生しているならば、時間延長を行わず、電源をオフとする。
【手続補正１１】
【補正対象書類名】明細書
【補正対象項目名】００５４
【補正方法】変更
【補正の内容】
【００５４】
図７は、本発明の参考例であるプリントシステムにおけるプリント処理のフローチャートを示す。なお、本システムの構成は、前記図１に示したものと略同様とする。
プリントスタートスイッチ２２が押下されていることが確認された場合、図７のプリント処理が実行される。すなわち、ダイレクトプリント動作の開始信号が通信ドライバ１３，１１を介してデジタルカメラ１０１側に伝達されると、ステップＳ５１にてプリントの初期設定がなされる。ステップＳ５２ではデジタルカメラ１０１にてプリントデータが生成される。続いて、ステップＳ５３で上記プリントデータの１パケット分をプリンタ１０２に送信する。
【手続補正１２】
【補正対象書類名】明細書
【補正対象項目名】００５７
【補正方法】変更
【補正の内容】
【００５７】
上述のように本参考例のプリントシステムによると、より簡単な処理によりダイレクトプリント動作においてカメラ側１０１からのデータ送信を１パケットずつに分けて行う。そして、１パケットの送信開始毎にオートパワーオフのタイマを初期化し、エラーが発生したときは、オートパワーオフ時間を再設定することなく、既に設定されているオートパワーオフの時間の経過後、電源はオフとなる。したがって、ダイレクトプリントを確実に行うことができ、また、プリント動作の異常が検出された場合も確実に電源をオフすることができる。
【手続補正１３】
【補正対象書類名】明細書
【補正対象項目名】００５８
【補正方法】変更
【補正の内容】
【００５８】
【発明の効果】
上述したように、本発明によれば、プリント動作中に意図しないオートパワーオフ状態に切り換わることを防止することができ、操作ボタンが不用意に操作された場合であってもプリント動作に悪影響を及ぼすことがなく、外部プリンタを直接接続してプリントを行う態様において最適な電子カメラを提供することができる。
【手続補正１４】
【補正対象書類名】明細書
【補正対象項目名】００５９
【補正方法】削除
【補正の内容】
【手続補正１５】
【補正対象書類名】明細書
【補正対象項目名】００６０
【補正方法】削除
【補正の内容】
【手続補正１６】
【補正対象書類名】明細書
【補正対象項目名】００６１
【補正方法】削除
【補正の内容】
【手続補正１７】
【補正対象書類名】明細書
【補正対象項目名】図面の簡単な説明
【補正方法】変更
【補正の内容】
【図面の簡単な説明】
【図１】
本発明の第１の実施の形態としてのプリントシステムを構成するデジタルカメラとデジタルカラープリンタのブロック構成図。
【図２】
図１のプリントシステムのシステム構成図。
【図３】
図１のプリントシステムを構成するデジタルカメラの背面図。
【図４】
図１のプリントシステムによるプリント処理のフローチャート。
【図５】
図１のプリントシステムのプリント処理におけるオートパワーオフ機能切り換え処理のフローチャート。
【図６】
本発明の第２の実施の形態としてのプリントシステムのプリント処理におけるオートパワーオフ機能切り換え処理のフローチャート。
【図７】
本発明の参考例としてのプリントシステムのプリント処理のフローチャート。
【符号の説明】
１４……ＣＰＵ（プリント状態判別手段）
２２……プリントスタートスイッチ
（プリント開始指示手段）
１０１……デジタルカメラ（電子カメラ）
１０２……デジタルカラープリンタ（プリンタ）